(57)【要約】【課題】ＣＤ廃棄時のデータ流出を容易に防止するデータ流出防止ＣＤラベルを提供する。【解決手段】ＣＤラベル１はＣＤ２のデータ記録面（レーベル側）に貼り付けられ、中心穴ａの近傍にＩＣタグ３が埋め込まれ、中心穴ａの内側に左右一対の余剰片ｂを突起している。また、ＴＯＣ領域に対応する内周部１１とデータ領域に対応する外周部１２の境界に中心穴ａと同心円をなすミシン目などの弱め線１３が入れられる。ＣＤ２には暗号化されたデータＣｄが記録され、ＩＣタグ３にはデータＣｄを解読するための秘密鍵ＫｓとＣＤ２を認識するためのＩＤが記録されている。【選択図】図２
2007018645.tif 000002
【特許請求の範囲】
【請求項１】
ＣＤのデータ記録面に保護層と一体に貼付され、
剥離すると保護層が破壊されてデータの読み取りが不能になることを特徴とするデータ流出防止ＣＤラベル。
【請求項２】
ＩＣタグを内蔵し、
ＣＤのデータ記録面に保護層と一体に貼付され、
剥離すると保護層が破壊されてデータの読み取りが不能になることを特徴とするデータ流出防止ＣＤラベル。
【請求項３】
前記ＩＣタグが前記ＣＤの中心穴の近傍に埋め込まれていることを特徴とする請求項２記載のデータ流出防止ＣＤラベル。
【請求項４】
前記ＩＣタグに秘密鍵が記録され、
この秘密鍵で暗号化されたデータが前記ＣＤに記録されていることを特徴とする請求項２記載のデータ流出防止ＣＤラベル。
【請求項５】
前記ＣＤの中心穴の内側に余剰片を突起していることを特徴とする請求項１、２記載のデータ流出防止ＣＤラベル。
【請求項６】
前記余剰片が左右対称に配置されていることを特徴とする請求項５記載のデータ流出防止ＣＤラベル。
【請求項７】
前記ＣＤのＴＯＣ領域に対応する内周部とデータ領域に対応する外周部の境界に中心穴と同心円をなす弱め線が入れられていることを特徴とする請求項１、２記載のデータ流出防止ＣＤラベル。
【発明の詳細な説明】
【技術分野】
【０００１】
本発明は、ＣＤ−ＲＯＭ、ＣＤ−Ｒ、ＣＤ−Ｒ／Ｗ、ＤＶＤ−Ｒ、ＤＶＤ−Ｒ／Ｗなどの光ディスク（以下、ＣＤと呼ぶ）を廃棄する際に記録データが外部に流出したり、不正使用されないためにデータの読み取りを実質的に不能にするデータ流出防止ＣＤラベルに関する。
【背景技術】
【０００２】
近年、社会問題化している個人情報などが漏洩する原因は、パソコン利用者が廃棄したＣＤなどから流出するケースが非常に多い。
そのための対策として、ＣＤに記録したデータをソフト的に消去する方法と、物理的に破壊する方法がある。
ＣＤに記録したデータを「削除」や「フォーマット」でソフト的に消去しても、データが消えたように見えるだけで、実際は特殊なソフトを用いれば読み取ることができる。
そのためダミーデータを上書きして消去する方法もあるが、長時間を要する面倒な作業となる。
【０００３】
ＣＤに記録したデータを物理的に破壊する場合、通常はハサミやナイフでＣＤの表面にキズを付けてデータを読み取れないようにするが、確実性に乏しく、大量ＣＤの廃棄には向いていない。
また、ＣＤを折ったり破砕する方法もあるが、手間と費用が掛かり、リサイクルも困難になる。
【発明の開示】
【発明が解決しようとする課題】
【０００４】
解決しようとする問題点は以上のような点であり、本発明は、ＣＤ廃棄時のデータ流出を容易に防止するデータ流出防止ＣＤラベルを提供することを目的になされたものである。
【課題を解決するための手段】
【０００５】
そのため本発明は、ＣＤのデータ記録面に保護層と一体に貼付され、剥離すると保護層が破壊されてデータの読み取りが不能になることを最も主要な特徴とする。
【発明の効果】
【０００６】
本発明は、剥離すると保護層が破壊されてデータの読み取りが不能になるので、手間や費用を掛けずに簡単な操作でＣＤを廃棄する際のデータ流出を防止できる。
【発明を実施するための最良の形態】
【０００７】
以下、本発明の実施の形態について説明する。
【０００８】
図１と図２に、本発明を実施したＣＤラベルとＣＤの平面図と分解斜視図を示す。
ＣＤラベル１は、ＣＤ２のデータ記録面（レーベル側）に貼り付けられ、中心穴ａの近傍にＩＣタグ３が埋め込まれ、中心穴ａの内側に左右一対の余剰片ｂを突起している。
このようにＩＣタグ３をできるだけ円の中心に近付け、余剰片ｂを左右対称に配置することで芯ブレを防止している。
また、ＴＯＣ領域に対応する内周部１１とデータ領域に対応する外周部１２の境界に中心穴ａと同心円をなすミシン目などの弱め線１３が入れられる。
ＣＤ２には暗号化されたデータＣｄが記録され、ＩＣタグ３にはデータＣｄを解読するための秘密鍵ＫｓとＣＤ２を認識するためのＩＤが記録されている。
ＩＣタグ３にはアンテナをチップに内蔵するタイプと外付けするタイプがあるが、いずれのタイプを用いてもよい。
【０００９】
図３に、本発明を実施したＣＤのデータ処理装置の構成図を示す。
データ処理装置は、パソコン４にリーダ／ライタ５とＣＤドライブ６を備え、ＩＣタグ３をリーダ／ライタ５にかざしてＩＤと秘密鍵Ｋｓを読み取り、ＣＤ２をＣＤドライブ６にセットして暗号化されたデータＣｄを読み取る。
あるいは、ＩＣタグ３をリーダ／ライタ５にかざして秘密鍵Ｋｓを書き込み、ＣＤ２をＣＤドライブ６にセットして暗号化されたデータＣｄを書き込む。
リーダ／ライタ５はＣＤドライブ６に内蔵することも可能で、その場合はＣＤ２をＣＤドライブ６にセットしてＩＣタグ３とＣＤ２へのアクセスを同時に行うことができる。
【００１０】
図４に、本発明を実施したＣＤの書き込み処理の流れ図を示す。
まず、ＣＤ２に記録すべきデータＭｄを秘密鍵Ｋｓで暗号化して暗号文のデータＣｄに翻訳する（ステップ１０１）。
次に、リーダ／ライタ５を介して秘密鍵ＫｓをＩＣタグ３に書き込む（ステップ１０２）。
次に、ＣＤドライブ６を介して暗号文のデータＣｄをＣＤ２に書き込む（ステップ１０３）。
【００１１】
図５に、本発明を実施したＣＤの読み込み処理の流れ図を示す。
まず、リーダ／ライタ５を介してＩＣタグ３のＩＤと秘密鍵Ｋｓを読み取る（ステップ２０１）。
次に、ＩＤの正当性を認識してＯＫであればステップ２０３に進み、ＮＧであればパソコン４の画面にエラーを表示して処理を終了する（ステップ２０２）。
次に、ＣＤドライブ６を介してＣＤ２のデータＣｄを読み取る（ステップ２０３）。
次に、データＣｄを秘密鍵Ｋｓで復号化して平文のデータＭｄに復元する（ステップ２０４）。
【００１２】
本発明を実施したデータ流出防止ＣＤラベルは以上のような構成で、ＣＤ２を廃棄するときは、余剰片ｂを指で摘んでＣＤラベル１をＣＤ２から引き剥がす。
これにより、弱め線１３を境に内周部１１の金属の保護層、反射層が一体になって樹脂の基板から剥離し、ＴＯＣ領域が破壊される。
ＣＤドライブ６がＣＤ２を認識するときは、最初にＴＯＣ領域を読み取らなければならないため、ＴＯＣ領域を破壊するとＣＤ２を認識することができなくなる。
その結果、一般のＣＤドライブ６でのＣＤ２の読み取りが不能になる。
また、ＣＤ２とＩＣタグ３が分離され、別々に廃棄されるので、暗号文のデータＣｄを秘密鍵Ｋｓで解読することができなくなる。
なお、ＴＯＣ領域を破壊しただけでは特殊な方法で記録データを読み取られる危険性があるので、全データを破壊する場合は、弱め線１３のないＣＤラベル１を貼付し、それをＣＤ２から引き剥がすとＴＯＣ領域と一緒にデータ領域も破壊されるようにする。
【図面の簡単な説明】
【００１３】
【図１】本発明を実施したＣＤラベルとＣＤの平面図である。
【図２】図１の分解斜視図である。
【図３】本発明を実施したＣＤのデータ処理装置の構成図である。
【図４】本発明を実施したＣＤの書き込み処理の流れ図である。
【図５】本発明を実施したＣＤの読み込み処理の流れ図である。
【符号の説明】
【００１４】
１        ＣＤラベル
１１      内周部
１２      外周部
１３      弱め線
２        ＣＤ
３        ＩＣタグ
４        パソコン
５        リーダ／ライタ
６        ＣＤドライブ
ａ        中心穴
ｂ        余剰片
【図１】
2007018645.tif 000003
【図２】
2007018645.tif 000004
【図３】
2007018645.tif 000005
【図４】
2007018645.tif 000006
【図５】
2007018645.tif 000007